(57)【要約】      （修正有）【課題】アルカリ金属の水酸化物から、多量の水素化ナトリウムを短時間に効率よく製造することができる水素化ナトリウム製造システムを提供する。【解決手段】水素化ナトリウム製造機構１０の第１〜第３還元反応炉１１ａ〜１１ｃでは、流入管路１４ａ及び第１〜第２接続管路１４ｂ，１４ｃから供給された窒素ガスの雰囲気において、下部加熱スペース２１が所定温度に加熱され、下部加熱スペース２１において溶融したアルカリ金属の水酸化物の分解ベーパーが中間冷却スペース２２へ上昇し、分解ベーパーが冷却プレート１３によって冷却されつつ還元触媒によって水素化ナトリウム（ＮａＨ）に還元され、冷却プレート１３に堆積固化し、窒素ガスと還元スペース１８において生成された水素ガスとが第１〜第２接続管路１４ｂ，１４ｃの流出口から流出し、第１〜第２接続管路１４ｂ，１４ｃの流入口から下流に位置する還元炉１１ｂ，１１ｃに流入する。【選択図】図２
2020121909.tif 000002
【特許請求の範囲】
【請求項１】
水素化ナトリウムを製造する水素化ナトリウム製造機構と、前記水素化ナトリウム製造機構において使用する電力を該水素化ナトリウム製造機構に供給するバイナリー発電機構とから形成され、
前記水素化ナトリウム製造機構が、オーステナイト系ステンレス鋼から作られ、所定容積の還元スペースを有して上流側から下流側に向かって直列に並ぶ複数の第１〜第ｎ還元炉と、前記第１〜第ｎ還元炉を部分的に加熱する加熱手段と、前記第１〜第ｎ還元炉の還元スペースに収容された冷却手段と、前記加熱手段によって加熱された還元スペースを所定の温度に冷却する冷却ガスを該還元スペースに流入させる流入管路と、前記第１還元炉から第ｎ還元炉に向かって隣接する上流側の還元炉から下流側の還元炉に前記冷却ガス及び水素ガス（Ｈ２）を流入させる第１〜第ｎ接続管路と、前記第ｎ還元炉から前記水素ガス（Ｈ２）を流出させる流出管路とを備え、
前記第１〜第ｎ還元炉の還元スペースが、所定量のアルカリ金属の水酸化物と前記オーステナイト系ステンレス鋼から作られた還元触媒とが収容されるとともに前記加熱手段によって加熱される所定容積の下部加熱スペースと、前記冷却手段が配置されるとともに前記流入管路のガス流入口及び前記第１〜第ｎ接続管路のガス流入口が位置する所定容積の中間冷却スペースと、前記第１〜第ｎ接続管路のガス流出口及び前記流出管路のガス流出口が位置する所定容積の上部スペースとから形成され、
前記第１〜第ｎ還元炉では、前記流入管路及び前記第１〜第ｎ接続管路から供給された前記冷却ガスの雰囲気において、前記バイナリー発電機構から電力の供給を受けた前記加熱手段によって前記下部加熱スペースが所定温度に加熱され、前記下部加熱スペースにおいて溶融した前記アルカリ金属の水酸化物の分解ベーパーが前記下部加熱スペースから前記中間冷却スペースへ上昇し、該分解ベーパーが前記冷却手段によって冷却されつつ前記還元触媒によって水素化ナトリウム（ＮａＨ）に還元され、前記還元された水素化ナトリウムが前記冷却手段に付着して堆積固化し、前記冷却ガスと前記還元スペースにおいて生成された水素ガスとが前記第１〜第ｎ接続管路の流出口から流出し、前記冷却ガス及び前記水素ガスが前記第１〜第ｎ接続管路の流入口から下流に位置する還元炉に流入することを特徴とする水素化ナトリウム製造システム。
【請求項２】
前記第１〜第ｎ還元炉の還元スペースに収容された前記冷却手段が、前記オーステナイト系ステンレス鋼から作られて前記中間冷却スペースに挿脱可能に配置された上下方向へ長い所定面積の冷却プレートであり、前記冷却プレートには、その厚み方向へ貫通する所定面積の貫通孔が穿孔されている請求項１に記載の水素化ナトリウム製造システム。
【請求項３】
前記冷却プレートには、複数の前記貫通孔が穿孔され、それら貫通孔が、前記冷却プレートの上下方向と横方向とのうちの少なくとも一方へ並んでいる請求項２に記載の水素化ナトリウム製造システム。
【請求項４】
前記流入管路及び前記第１〜第ｎ接続管路のガス流入口が、前記冷却プレートの上下方向中央部と上下方向下部との間であって該冷却プレートに穿孔された前記貫通孔に対向して配置されている請求項２又は請求項３に記載の水素化ナトリウム製造システム。
【請求項５】
前記流入管路及び前記第１〜第ｎ接続管路の前記冷却プレートに対向する対向部分には、上下方向へ並ぶ複数のガス流入口が形成され、前記流入管路及び前記第１〜第ｎ接続管路のそれらガス流入口が、前記冷却プレートに向かって開口している請求項２又は請求項３に記載の水素化ナトリウム製造システム。
【請求項６】
前記第１〜第ｎ還元炉では、複数枚の前記冷却プレートが前記中間冷却スペースの中心から径方向外方へ向かって放射状に並んでいる請求項２ないし請求項５いずれかに記載の水素化ナトリウム製造システム。
【請求項７】
前記流入管路及び前記第１〜第ｎ接続管路が、複数本の分岐管路に分岐し、それら分岐管路が、前記第１〜第ｎ還元炉の還元スペースに進入し、それら分岐管路の各ガス流入口が、前記中間冷却スペースの周り方向へ並ぶ各冷却プレートの間に位置している請求項６に記載の水素化ナトリウム製造システム。
【請求項８】
前記還元触媒が、前記オーステナイト系ステンレス鋼を微粉砕した粒径が１０〜５００μｍの粉状還元触媒、前記オーステナイト系ステンレス鋼を粒状に成形した粒状還元触媒、前記オーステナイト系ステンレス鋼を板状に成形した板状還元触媒、前記オーステナイト系ステンレス鋼を線状に成形した線状還元触媒のうちの少なくとも１つである請求項１ないし請求項７いずれかに記載の水素化ナトリウム製造システム。
【請求項９】
前記第１〜第ｎ還元炉では、前記加熱手段によって加熱された前記下部加熱スペースの温度が４５０〜６００℃の範囲にあり、前記中間冷却スペースの温度が２００〜２５０℃の範囲にある請求項１ないし請求項８いずれかに記載の水素化ナトリウム製造システム。
【請求項１０】
前記冷却ガスの前記第１還元炉への流入量と該冷却ガス及び前記水素ガスの前記第２〜第ｎ還元炉への流入量とが、１０〜５００ｃｃ／ｍｉｎの範囲にある請求項１ないし請求項９いずれかに記載の水素化ナトリウム製造システム。
【請求項１１】
前記アルカリ金属の水酸化物が、水酸化ナトリウム（ＮａＯＨ）と水酸化カリウム（ＫＯＨ）とのうちの少なくとも一方である請求項１ないし請求項１０いずれかに記載の水素化ナトリウム製造システム。
【請求項１２】
前記冷却ガスが、窒素ガス（Ｎ２）である請求項１ないし請求項１１いずれかに記載の水素化ナトリウム製造システム。
【請求項１３】
前記オーステナイト系ステンレス鋼が、ＳＵＳ３０４とＳＵＳ３１６Ｌとのうちの少なくとも一方である請求項１ないし請求項１２いずれかに記載の水素化ナトリウム製造システム。
【請求項１４】
前記バイナリー発電機構が、噴出する温泉熱源を利用する温泉バイナリー発電機構である請求項１ないし請求項１３いずれかに記載の水素化ナトリウム製造システム。
【発明の詳細な説明】
【技術分野】
【０００１】
本発明は、水素化ナトリウムを製造する水素化ナトリウム製造システムに関する。
【背景技術】
【０００２】
金属ナトリウムと水素との反応によって水素化ナトリウムを製造する方法は公知である。原料となる金属ナトリウムは、水酸化ナトリウムからＮａＯＨ→Ｎａ＋１／２Ｈ2Ｏ＋１／４Ｏ2 （理論電解電圧：２．２Ｖ）の反応式によってカストナー法又はβ−アルミナ電解法により製造する。カストナー法やβ−アルミナ電解法によって製造された金属ナトリウムと水素とを反応させることにより水素化ナトリウムが製造される。
【０００３】
水酸化ナトリウムから水素化ナトリウムを製造する他の方法として、水酸化ナトリウムまたは水酸化ナトリウムと１つ以上のアルカリ金属水酸化物との混合物を含む溶融物中に、酸素および水分の不存在下において炭素化合物（例えばポリエチレン、ポリプロピレン、廃油、廃ゴムなどの炭素質産業廃棄物材料）を混合し、４２０℃の水素化ナトリウムの分解温度よりも高い温度（好ましくは６５０〜９００℃）に加熱し、反応媒体外において４２０℃以下の温度で反応生成物を分離することによって水素化ナトリウムを製造する水素化ナトリウムの製造方法が開示されている（特許文献１参照）。
【先行技術文献】
【特許文献】
【０００４】
【特許文献１】特表２００５−５００２３７号公報
【発明の概要】
【発明が解決しようとする課題】
【０００５】
金属ナトリウムと水素とを反応させて水素化ナトリウムを製造する方法では、水酸化ナトリウムから金属ナトリウムを製造する反応と、金属ナトリウム及び水素を反応させる２段階の反応が必要となるため、多量の水素化ナトリウムを短時間に効率よく製造することができない。
【０００６】
又、前記特許文献１に開示の水素化ナトリウムの製造方法は、水素化ナトリウムとともに炭素化合物由来の炭酸ナトリウムが反応生成物として生成されるため、反応生成物中から炭酸ナトリウムを除去する必要があり、その分の手間と時間とを要し、多量の水素化ナトリウムを短時間に効率よく製造することができない。更に、水素化ナトリウムの製造に使用する電力を電力会社から買い取らなければならず、水素化ナトリウムの製造に多額の電気代が必要になる。
【０００７】
本発明の目的は、アルカリ金属の水酸化物から水素化ナトリウムを固体の状態で生成することができ、多量の水素化ナトリウムを短時間に効率よく製造することができる水素化ナトリウム製造システムを提供することにある。本発明の他の目的は、自然エネルギーを利用することで電気代を必要とせずに水素化ナトリウムを製造することができる水素化ナトリウム製造システムを提供することにある。
【課題を解決するための手段】
【０００８】
前記課題を解決するための本発明の水素化ナトリウム製造システムは、水素化ナトリウムを製造する水素化ナトリウム製造機構と、水素化ナトリウム製造機構において使用する電力を水素化ナトリウム製造機構に供給するバイナリー発電機構とから形成され、水素化ナトリウム製造機構が、オーステナイト系ステンレス鋼から作られ、所定容積の還元スペースを有して上流側から下流側に向かって直列に並ぶ複数の第１〜第ｎ還元炉と、第１〜第ｎ還元炉を部分的に加熱する加熱手段と、第１〜第ｎ還元炉の還元スペースに収容された冷却手段と、加熱手段によって加熱された還元スペースを所定の温度に冷却する冷却ガスを還元スペースに流入させる流入管路と、第１還元炉から第ｎ還元炉に向かって隣接する上流側の還元炉から下流側の還元炉に冷却ガス及び水素ガス（Ｈ２）を流入させる第１〜第ｎ接続管路と、第ｎ還元炉から水素ガス（Ｈ２）を流出させる流出管路とを備え、第１〜第ｎ還元炉の還元スペースが、所定量のアルカリ金属の水酸化物とオーステナイト系ステンレス鋼から作られた還元触媒とが収容されるとともに加熱手段によって加熱される所定容積の下部加熱スペースと、冷却手段が配置されるとともに流入管路のガス流入口及び第１〜第ｎ接続管路のガス流入口が位置する所定容積の中間冷却スペースと、第１〜第ｎ接続管路のガス流出口及び流出管路のガス流出口が位置する所定容積の上部スペースとから形成され、第１〜第ｎ還元炉では、流入管路及び第１〜第ｎ接続管路から供給された冷却ガスの雰囲気において、バイナリー発電機構から電力の供給を受けた加熱手段によって下部加熱スペースが所定温度に加熱され、下部加熱スペースにおいて溶融したアルカリ金属の水酸化物の分解ベーパーが下部加熱スペースから中間冷却スペースへ上昇し、分解ベーパーが冷却手段によって冷却されつつ還元触媒によって水素化ナトリウム（ＮａＨ）に還元され、還元された水素化ナトリウムが冷却手段に付着して堆積固化し、冷却ガスと還元スペースにおいて生成された水素ガスとが第１〜第ｎ接続管路の流出口から流出し、冷却ガス及び水素ガスが第１〜第ｎ接続管路の流入口から下流に位置する還元炉に流入することを特徴とする。
【０００９】
本発明の水素化ナトリウム製造システムの一例としては、第１〜第ｎ還元炉の還元スペースに収容された冷却手段が、オーステナイト系ステンレス鋼から作られて中間冷却スペースに挿脱可能に配置された上下方向へ長い所定面積の冷却プレートであり、冷却プレートには、その厚み方向へ貫通する所定面積の貫通孔が穿孔されている。
【００１０】
本発明の水素化ナトリウム製造システムの他の一例として、冷却プレートには、複数の貫通孔が穿孔され、それら貫通孔が、冷却プレートの上下方向と横方向とのうちの少なくとも一方へ並んでいる。
【００１１】
本発明の水素化ナトリウム製造システムの他の一例としては、流入管路及び第１〜第ｎ接続管路のガス流入口が、冷却プレートの上下方向中央部と上下方向下部との間であって冷却プレートに穿孔された貫通孔に対向して配置されている。
【００１２】
本発明の水素化ナトリウム製造システムの他の一例として、流入管路及び第１〜第ｎ接続管路の冷却プレートに対向する対向部分には、上下方向へ並ぶ複数のガス流入口が形成され、流入管路及び第１〜第ｎ接続管路のそれらガス流入口が、冷却プレートに向かって開口している。
【００１３】
本発明の水素化ナトリウム製造システムの他の一例として、第１〜第ｎ還元炉では、複数枚の冷却プレートが中間冷却スペースの中心から径方向外方へ向かって放射状に並んでいる。
【００１４】
本発明の水素化ナトリウム製造システムの他の一例としては、流入管路及び第１〜第ｎ接続管路が、複数本の分岐管路に分岐し、それら分岐管路が、第１〜第ｎ還元炉の還元スペースに進入し、それら分岐管路の各ガス流入口が、中間冷却スペースの周り方向へ並ぶ各冷却プレートの間に位置している。
【００１５】
本発明の水素化ナトリウム製造システムの他の一例としては、還元触媒が、オーステナイト系ステンレス鋼を微粉砕した粒径が１０〜５００μｍの粉状還元触媒、オーステナイト系ステンレス鋼を粒状に成形した粒状還元触媒、オーステナイト系ステンレス鋼を板状に成形した板状還元触媒、オーステナイト系ステンレス鋼を線状に成形した線状還元触媒のうちの少なくとも１つである。
【００１６】
本発明の水素化ナトリウム製造システムの他の一例として、第１〜第ｎ還元炉では、加熱手段によって加熱された下部加熱スペースの温度が４５０〜６００℃の範囲にあり、中間冷却スペースの温度が２００〜２５０℃の範囲にある。
【００１７】
本発明の水素化ナトリウム製造システムの他の一例としては、冷却ガスの第１還元炉への流入量と冷却ガス及び水素ガスの第２〜第ｎ還元炉への流入量とが、１０〜５００ｃｃ／ｍｉｎの範囲にある。
【００１８】
本発明の水素化ナトリウム製造システムの他の一例としては、アルカリ金属の水酸化物が、水酸化ナトリウム（ＮａＯＨ）と水酸化カリウム（ＫＯＨ）とのうちの少なくとも一方である。
【００１９】
本発明の水素化ナトリウム製造システムの他の一例としては、冷却ガスが、窒素ガス（Ｎ２）である。
【００２０】
本発明の水素化ナトリウム製造システムの他の一例としては、オーステナイト系ステンレス鋼が、ＳＵＳ３０４とＳＵＳ３１６Ｌとのうちの少なくとも一方である。
【００２１】
本発明の水素化ナトリウム製造システムの他の一例としては、バイナリー発電機構が、噴出する温泉熱源を利用する温泉バイナリー発電機構である。
【発明の効果】
【００２２】
本発明に係る水素化ナトリウム製造システムによれば、所定量のアルカリ金属の水酸化物とオーステナイト系ステンレス鋼から作られた還元触媒とを第１〜第ｎ還元炉の下部加熱スペースに収容し、流入管路及び第１〜第ｎ接続管路から供給された冷却ガスの雰囲気において、下部加熱スペースを加熱手段によって所定温度に加熱し、下部加熱スペースから中間冷却スペースへ上昇したアルカリ金属の水酸化物の分解ベーパーが冷却手段によって冷却されつつ還元触媒によって水素化ナトリウム（ＮａＨ）に還元され、その水素化ナトリウムを冷却手段に付着させて堆積固化させることで水素化ナトリウムを生成するから、所定の還元触媒を利用するだけで水素化ナトリウムを固体の状態で生成することができ、多量の水素化ナトリウムを短時間に効率よく製造することができる。水素化ナトリウム製造システムは、第１〜第ｎ還元炉の還元スペースにおいて水素ガスが生成されるから、水素化ナトリウムの生成と同時に、アルカリ金属の水酸化物から水素を作ることができる。水素化ナトリウム製造システムは、直列に並ぶ複数の第１〜第ｎの還元炉を利用し、それら還元炉において水素化ナトリウムを生成することで、一度の多量の水素化ナトリウムを生成することができる。水素化ナトリウム製造システムは、バイナリー発電機構から水素化ナトリウム製造機構に電力を供給し、水素化ナトリウム製造機構における水素化ナトリウムの製造おいてその電力が使用されるから、水素化ナトリウム製造機構において使用する電力を電気会社から買い取る必要はなく、自然エネルギーを利用することで電気代を必要とせずに水素化ナトリウムを製造することができ、水素化ナトリウムを低コストで製造することができる。
【００２３】
第１〜第ｎ還元炉の還元スペースに収容された冷却手段がオーステナイト系ステンレス鋼から作られて中間冷却スペースに挿脱可能に配置された上下方向へ長い所定面積の冷却プレートであり、冷却プレートの厚み方向へ貫通する所定面積の貫通孔が冷却プレートに穿孔されている水素化ナトリウム製造システムは、オーステナイト系ステンレス鋼から作られた上下方向へ延びる所定面積の冷却プレートを利用し、還元された水素化ナトリウムをその冷却プレートに付着させて堆積固化させることで、第１〜第ｎ還元炉において多量の水素化ナトリウムを固体の状態で生成することができ、短時間に多量の水素化ナトリウムを製造することができる。水素化ナトリウム製造システムは、冷却プレートの厚み方向へ貫通する所定面積の貫通孔がそれら冷却プレートに穿孔されているから、流入管路及び第１〜第ｎ接続管路から供給された冷却ガスがそれら貫通孔を通って中間冷却スペースに満遍なく分散し、冷却ガスによってそれら冷却プレートを確実に冷却することができ、それら冷却プレートに水素化ナトリウムを確実に堆積固化させることができる。
【００２４】
複数の貫通孔が冷却プレートに穿孔され、それら貫通孔が冷却プレートの上下方向と横方向とのうちの少なくとも一方へ並んでいる水素化ナトリウム製造システムは、冷却プレートの厚み方向へ貫通する所定面積の貫通孔が冷却プレートの上下方向と横方向とのうちの少なくとも一方へ並んでいるから、流入管路及び第１〜第ｎ接続管路から供給された冷却ガスが冷却プレートのそれら貫通孔を通って中間冷却スペースに満遍なく分散し、冷却ガスによって冷却プレートを確実に冷却することができ、第１〜第ｎ還元炉の還元スペースに収容された冷却プレートに水素化ナトリウムを確実に堆積固化させることができる。
【００２５】
流入管路及び第１〜第ｎ接続管路のガス流入口が冷却プレートの上下方向中央部と上下方向下部との間であって冷却プレートに穿孔された貫通孔に対向して配置されている水素化ナトリウム製造システムは、流入管路及び第１〜第ｎ接続管路のガス流入口を冷却プレートの上下方向中央であって冷却プレートに穿孔された貫通孔に対向配置することで、流入管路及び第１〜第ｎ接続管路のガス流入口から供給された冷却ガスが冷却プレートの貫通孔を通って中間冷却スペースに満遍なく分散し、冷却ガスによってそれら冷却プレートを確実に冷却することができ、第１〜第ｎ還元炉の還元スペースに収容された冷却プレートに水素化ナトリウムを確実に堆積固化させることができる。
【００２６】
上下方向へ並ぶ複数のガス流入口が流入管路及び第１〜第ｎ接続管路の冷却プレートに対向する対向部分に形成され、流入管路及び第１〜第ｎ接続管路のそれらガス流入口が冷却プレートに向かって開口している水素化ナトリウム製造システムは、上下方向へ並ぶ複数のガス流入口を流入管路及び第１〜第ｎ接続管路の冷却プレートに対向する対向部分に形成し、それらガス流入口を冷却プレートに向かって開口させることで、流入管路及び第１〜第ｎ接続管路のガス流入口から供給された冷却ガスが冷却プレートに向かって供給されるとともに、冷却ガスが冷却プレートの貫通孔を通って中間冷却スペースに満遍なく分散し、冷却ガスによって冷却プレートを確実に冷却することができ、第１〜第ｎ還元炉の還元スペースに収容された冷却プレートに水素化ナトリウムを確実に堆積固化させることができる。
【００２７】
複数枚の冷却プレートが中間冷却スペースの中心から径方向外方へ向かって放射状に並んでいる水素化ナトリウム製造システムは、中間冷却スペースの中心から径方向外方へ向かって放射状に並ぶ複数枚の冷却プレートを利用し、還元触媒によって還元された水素化ナトリウムをそれら冷却プレートに付着させて堆積固化させることで、直列に並ぶ複数の第１〜第ｎの還元炉を利用して一度に多量の水素化ナトリウムを固体の状態で生成することができ、短時間に多量の水素化ナトリウムを製造することができる。
【００２８】
流入管路及び前記第１〜第ｎ接続管路が複数本の分岐管路に分岐してそれら分岐管路が第１〜第ｎ還元炉の還元スペースに進入し、それら分岐管路の各ガス流入口が中間冷却スペースの周り方向へ並ぶ各冷却プレートの間に位置している水素化ナトリウム製造システムは、複数本の分岐管路の各ガス流入口から各冷却プレートの間に冷却ガスを流入させることで、冷却ガスがそれら冷却プレートの間に満遍なく流入し、それら分岐管路の各ガス流入口から流入した冷却ガスによって中間冷却スペース（それら冷却プレート）を確実に冷却することができ、第１〜第ｎ還元炉の還元スペースに収容されたそれら冷却プレートに水素化ナトリウムを確実に堆積固化させることができる。
【００２９】
還元触媒がオーステナイト系ステンレス鋼を微粉砕した粒径が１０〜５００μｍの粉状還元触媒、オーステナイト系ステンレス鋼を粒状に成形した粒状還元触媒、オーステナイト系ステンレス鋼を板状に成形した板状還元触媒、オーステナイト系ステンレス鋼を線状に成形した線状還元触媒のうちの少なくとも１つである水素化ナトリウム製造システムは、オーステナイト系ステンレス鋼を微粉砕した粒径が１０〜５００μｍの粉状還元触媒、オーステナイト系ステンレス鋼を粒状に成形した粒状還元触媒、オーステナイト系ステンレス鋼を板状に成形した板状還元触媒、オーステナイト系ステンレス鋼を線状に成形した線状還元触媒のうちの少なくとも１つを利用することで、オーステナイト系ステンレス鋼から作られた粉状還元触媒や粒状還元触媒、板状還元触媒、線状還元触媒の優れた触媒活性（触媒作用）を利用することができ、それら還元触媒の触媒作用によってアルカリ金属の水酸化物の分解ベーパーを水素化ナトリウム（ＮａＨ）に確実に還元することができる。水素化ナトリウム製造システムは、オーステナイト系ステンレス鋼から作られたそれら還元触媒の優れた触媒作用によってアルカリ金属の水酸化物の分解ベーパーを水素化ナトリウム（ＮａＨ）に確実に還元することができるから、直列に並ぶ複数の第１〜第ｎの還元炉を利用し、多量の水素化ナトリウムを短時間に効率よく製造することができるとともに、水素化ナトリウムの生成と同時に、アルカリ金属の水酸化物から水素を作ることができる。
【００３０】
加熱手段によって加熱された下部加熱スペースの温度が４５０〜６００℃の範囲にあり、中間冷却スペースの温度が２００〜２５０℃の範囲にある水素化ナトリウム製造システムは、第１〜第ｎ還元炉の下部加熱スペースの温度を前記範囲にすることで、下部加熱スペースにおいてアルカリ金属の水酸化物を溶融させてアルカリ金属の水酸化物の分解ベーパーを確実に作ることができるとともに、還元触媒の触媒活性を向上させることができる。水素化ナトリウム製造システムは、還元触媒の触媒作用を最大限に利用することができ、還元触媒の触媒作用によってアルカリ金属の水酸化物の分解ベーパーを水素化ナトリウム（ＮａＨ）に確実に還元することができるとともに、第１〜第ｎ還元炉の中間冷却スペースの温度を前記範囲にすることで、アルカリ金属の水酸化物から還元された水素化ナトリウムを冷却手段に確実に堆積固化させることができ、直列に並ぶ複数の第１〜第ｎの還元炉を利用し、多量の水素化ナトリウムを短時間に効率よく製造することができるとともに、水素化ナトリウムの生成と同時に、アルカリ金属の水酸化物から水素を作ることができる。
【００３１】
冷却ガスの第１還元炉への流入量と該冷却ガス及び水素ガスの第２〜第ｎ還元炉への流入量とが１０〜５００ｃｃ／ｍｉｎの範囲にある水素化ナトリウム製造システムは、冷却ガスの第１還元炉への流入量と該冷却ガス及び水素ガスの第２〜第ｎ還元炉への流入量とを前記範囲にすることで、流入管路及び第１〜第ｎ接続管路から供給された冷却ガスによって中間冷却スペースを所定温度に確実に冷却することができ、アルカリ金属の水酸化物から還元された水素化ナトリウムを冷却手段に確実に堆積固化させることができ、直列に並ぶ複数の第１〜第ｎの還元炉を利用し、多量の水素化ナトリウムを短時間に効率よく製造することができる。
【００３２】
アルカリ金属の水酸化物が水酸化ナトリウム（ＮａＯＨ）と水酸化カリウム（ＫＯＨ）とのうちの少なくとも一方である水素化ナトリウム製造システムは、水酸化ナトリウムと水酸化カリウムとのうちの少なくとも一方とオーステナイト系ステンレス鋼から作られた還元触媒とを使用し、水酸化ナトリウムと水酸化カリウムとのうちの少なくとも一方とオーステナイト系ステンレス鋼から作られた還元触媒とを第１〜第ｎ還元炉の下部加熱スペースに収容し、流入管路及び第１〜第ｎ接続管路から供給された冷却ガスの雰囲気において、下部加熱スペースを加熱手段によって所定温度に加熱し、下部加熱スペースから中間冷却スペースへ上昇した水酸化ナトリウムの分解ベーパーや水酸化カリウムの分解ベーパーが冷却手段によって冷却されつつ還元触媒によって水素化ナトリウム（ＮａＨ）に還元され、その水素化ナトリウムを冷却手段に付着させて堆積固化させることで水素化ナトリウムを生成するから、所定の還元触媒を利用するだけで水素化ナトリウムを固体の状態で生成することができ、水酸化ナトリウムや水酸化カリウムから多量の水素化ナトリウムを短時間に効率よく製造することができる。水素化ナトリウム製造システムは、第１〜第ｎ還元炉の還元スペースにおいて水素ガス（Ｈ２）が生成されるから、水素化ナトリウムの生成と同時に、水酸化ナトリウムや水酸化カリウムから水素を作ることができる。
【００３３】
冷却ガスが窒素ガス（Ｎ２）である水素化ナトリウム製造システムは、冷却ガスとして窒素ガス（Ｎ２）を利用することで、窒素ガスによって第１〜第ｎ還元炉の中間冷却スペースを所定温度に確実に冷却することができ、アルカリ金属の水酸化物（水酸化ナトリウムや水酸化カリウム）から還元された水素化ナトリウムを冷却手段に確実に堆積固化させることができ、直列に並ぶ複数の第１〜第ｎの還元炉を利用し、多量の水素化ナトリウムを短時間に効率よく製造することができるとともに、水素化ナトリウムの生成と同時に、アルカリ金属の水酸化物（水酸化ナトリウムや水酸化カリウム）から水素を作ることができる。
【００３４】
オーステナイト系ステンレス鋼がＳＵＳ３０４とＳＵＳ３１６Ｌとのうちの少なくとも一方である水素化ナトリウム製造システムは、オーステナイト系ステンレス鋼のＳＵＳ３０４やＳＵＳ３１６Ｌから作られた還元触媒の優れた触媒活性（触媒作用）を利用することができ、還元触媒の触媒作用によってアルカリ金属の水酸化物の分解ベーパー（水酸化ナトリウムの分解ベーパーや水酸化カリウムの分解ベーパー）を水素化ナトリウム（ＮａＨ）に確実に還元することができる。水素化ナトリウム製造システムは、ＳＵＳ３０４やＳＵＳ３１６Ｌから作られた還元触媒の優れた触媒作用によってアルカリ金属の水酸化物の分解ベーパー（水酸化ナトリウムの分解ベーパーや水酸化カリウムの分解ベーパー）を水素化ナトリウム（ＮａＨ）に確実に還元することができるから、直列に並ぶ複数の第１〜第ｎの還元炉を利用し、多量の水素化ナトリウムを短時間に効率よく製造することができるとともに、水素化ナトリウムの生成と同時に、アルカリ金属の水酸化物（水酸化ナトリウムや水酸化カリウム）から水素を作ることができる。
【００３５】
バイナリー発電機構が噴出する温泉熱源を利用する温泉バイナリー発電機構である水素化ナトリウム製造システムは、噴出する温泉熱源を利用したバイナリー発電機構から水素化ナトリウム製造機構に電力を供給し、水素化ナトリウム製造機構における水素化ナトリウムの製造においてその電力が使用されるから、水素化ナトリウム製造機構において使用する電力を電気会社から買い取る必要はなく、温泉の熱エネルギー（自然エネルギー）を利用することで電気代を必要とせずに水素化ナトリウムを製造することができ、水素化ナトリウムを低コストで製造することができる。水素化ナトリウム製造システムは、既に噴出している温泉熱源を利用するから、開発リスクがなく、その探査や掘削コストがかからずに水素化ナトリウムを製造することができるとともに、熱交換後の温水を浴用温泉に還元することで、温泉枯渇のリスクを少なくすることができる。
【図面の簡単な説明】
【００３６】
【図１】一例として示す水素化ナトリウム製造システムの構成図。
【図２】一例として示す水素化ナトリウム製造機構の構成図。
【図３】一例として示す第１〜第３還元反応炉の斜視図。
【図４】第１〜第３還元反応炉の上面図。
【図５】一例として示す冷却プレートの正面図。
【図６】稼働中の水素化ナトリウム製造システムを示す図２と同様の図。
【図７】水素化ナトリウムが冷却プレートに堆積固化した状態の第１〜第３還元反応炉の上面図。
【図８】他の一例として示す第１〜第３還元反応炉の上面図。
【図９】流入管路及び第１及び第２接続管路の他の一例を示す図。
【発明を実施するための形態】
【００３７】
一例として示す水素化ナトリウム製造システムの構成図である図１等の添付の図面を参照し、本発明に係る水素化ナトリウム製造システムの詳細を説明すると、以下のとおりである。なお、図２は、一例として示す水素化ナトリウム製造機構１０の構成図であり、図３は、一例として示す第１〜第３還元反応炉１１ａ〜１１ｃの斜視図である。図４は、第１〜第３還元反応炉１１ａ〜１１ｃの上面図であり、図５は、一例として示す冷却プレート１３の正面図である。図３，４では、ハッチ２０の図示を省略している。図３，４では、上下方向を矢印Ｘ、径方向を矢印Ｙで示し、周り方向を矢印Ｚで示す。
【００３８】
水素化ナトリウム製造システムは、水素化ナトリウム製造機構１０と、水素化ナトリウム製造機構１０において使用する電力を水素化ナトリウム製造機構１０に供給する温泉バイナリー発電機構５０（バイナリー発電機構）とから形成されている。水素化ナトリウム製造機構１０は、アルカリ金属の水酸化物２４を原料とし、還元触媒を利用することで、固体である水素化ナトリウム（ＮａＨ）を製造するとともに、水素ガス（Ｈ２）を生成する。アルカリ金属の水酸化物としては、水酸化ナトリウム（ＮａＯＨ）と水酸化カリウム（ＫＯＨ）とのうちの少なくとも一方が使用される。
【００３９】
水素化ナトリウム製造機構１０は、第１〜第３還元反応炉１１ａ〜１１ｃ（第１〜第ｎ還元炉）と、第１〜第３還元反応炉１１ａ〜１１ｃを部分的に加熱する加熱手段１２と、所定面積の複数枚の冷却プレート１３（冷却手段）と、流入管路１４ａ及び第１〜第２接続管路１４ｂ，１４ｃ（第１〜第ｎ接続管路）、流出管路１５とを備えている。図２では、３つの第１〜第３還元反応炉１１ａ〜１１ｃを図示しているが、還元反応炉（還元炉）の数について特に限定はなく、水素化ナトリウム製造機構１０において４つ以上の還元反応炉（第１〜第ｎ還元炉）を利用することもできる。
【００４０】
第１〜第３還元反応炉１１ａ〜１１ｃ（第１〜第ｎ還元炉）は、底壁１６と底壁１６の周縁から上方へ延びる周壁１７とを有して円筒状に成形されている。第１〜第３還元反応炉１１ａ〜１１ｃには、底壁１６と周壁１７とに囲繞された所定容積の還元スペース１８が画成されている。還元スペース１８の容積に特に制限はないが、水素化ナトリウム製造機構１０では、還元スペース１８の容積が１．６〜２リットルの還元反応炉１１ａ〜１１ｃを使用した。還元反応炉１１ａ〜１１ｃの頂部開口１９には、開閉可能なハッチ２０（開閉蓋）が設置されている。還元反応炉１１ａ〜１１ｃの頂部開口１９は、ハッチ２０によって気密に閉鎖される。ハッチ２０には、流入管路１４ａを気密に連結する流入管路連結孔及び第１〜第２接続管路１４ｂ，１４ｃを気密に連結する接続管路連結孔が形成され、流出管路１５を気密に連結する流出管路連結孔が形成されている。還元反応炉１１ａ〜１１ｃ及びハッチ２０は、オーステナイト系ステンレス鋼から作られている。オーステナイト系ステンレス鋼には、ＳＵＳ３０４とＳＵＳ３１６Ｌとのうちの少なくとも一方が使用されている。
【００４１】
第１〜第３還元反応炉１１ａ〜１１ｃの還元スペース１８は、所定容積の下部加熱スペース２１と、所定容積の中間冷却スペース２２と、所定容積の上部スペース２３とから形成されている。還元反応炉１１ａ〜１１ｃでは、その略下半分が下部加熱スペース２１になる。下部加熱スペース２１には、所定量の水酸化ナトリウム（ＮａＯＨ）と所定量の水酸化カリウム（ＫＯＨ）とのうちの少なくとも一方（アルカリ金属の水酸化物２４）が収容されるとともに、ＳＵＳ３０４やＳＵＳ３１６Ｌのオーステナイト系ステンレス鋼から作られた還元触媒２５が収容される。下部加熱スペース２１は、水素化ナトリウム製造機構１０の稼働時に加熱手段１２によって所定温度に加熱される。
【００４２】
第１〜第３還元反応炉１１ａ〜１１ｃでは、その略上半分の２／３が中間冷却スペース２２となる。中間冷却スペース２２には、冷却プレート１３（冷却手段）が配置されるとともに、流入管路１４のガス供給口及び１〜第２接続管路１４ｂ，１４ｃのガス供給口が位置する。還元反応炉１１ａ〜１１ｃでは、その略上半分の１／３が上部スペース２３になる。上部スペース２３には、流出管路１５のガス排出口及び１〜第２接続管路１４ｂ，１４ｃのガス排出口が位置する。
【００４３】
第１〜第３還元反応炉１１ａ〜１１ｃの中間冷却スペース２２を画成する周壁１７には、中間冷却スペース２２の温度を測定する第１温度センサ２６が設置されている。第１温度センサ２６は、インターフェイス（有線又は無線）（図示せず）を介してコントローラ２７（制御装置）に接続されている。第１温度センサ２６は、測定した中間冷却スペース２２の温度をコントローラ２７に送信する。還元反応炉１１ａ〜１１ｃの下部加熱スペース２１を画成する周壁１７には、下部加熱スペース２１の温度を測定する第２温度センサ２８が設置されている。第２温度センサ２８は、インターフェイス（有線又は無線）（図示せず）を介してコントローラ２７（制御装置）に接続されている。第２温度センサ２８は、測定した下部加熱スペース２１の温度をコントローラ２７に送信する。
【００４４】
加熱手段１２は、第１〜第３還元反応炉１１ａ〜１１ｃの下部加熱スペース２１を画成する周壁１７の外周面を取り巻くように設置され、還元反応炉１１ａ〜１１ｃの下部加熱スペース２１を４５０〜６００℃の範囲に加熱する。加熱手段１２には、マントルヒーターやジャケットヒーターが使用され、その加熱方式として抵抗加熱や高周波誘導加熱が利用される。加熱手段１２は、その制御部がインターフェイスを介してコントローラ２７に接続されている。
【００４５】
それら冷却プレート１３（冷却手段）は、ＳＵＳ３０４やＳＵＳ３１６Ｌのオーステナイト系ステンレス鋼から作られ、上下方向へ長い所定厚みの矩形に成形されている。それら冷却プレート１３は、中心軸２９に取り付けられ、中心軸２９から径方向外方へ延びている。それら冷却プレート１３は、中心軸２９（中間冷却スペース２２の中心）から径方向外方へ向かって延びているとともに、第１〜第３還元反応炉１１ａ〜１１ｃの中間冷却スペース２２の周り方向へ放射状に並んでいる。それら冷却プレート１３は、還元反応炉１１ａ〜１１ｃの中間冷却スペース２２に挿脱可能に配置される。
【００４６】
それら冷却プレート１３には、その厚み方向へ貫通する所定面積の複数の貫通孔３０が穿孔されている。それら貫通孔３０は、冷却プレート１３の上下方向へ並んでいる。図４では、３つの貫通孔３０を図示しているが、貫通孔３０の数に特に限定はなく、４つ以上の貫通孔３０がそれら冷却プレート１３に穿孔されていてもよい。また、貫通孔３０が冷却プレート１３の上下方向へ並ぶとともに、貫通孔３０が冷却プレート１３の横方向へ並んでいてもよい。
【００４７】
流入管路１４ａは、窒素ガス（Ｎ２）（冷却ガス）を貯蔵した窒素ガス貯蔵タンク３１（ガスボンベ）と第１還元反応炉１１ａとに連結されている。流入管路１４ａは、第１還元反応炉１１ａのハッチ２０の流入管路連結孔に気密に連結され、その一部が還元反応炉１１ａの内部に進入している。流入管路１４ａは、窒素ガス（Ｎ２）（冷却ガス）を還元反応炉１１ａの内部に流入させる。流入管路１４ａは、そのガス流入口が第１還元反応炉１１ａの中間冷却スペース２２に位置している。流入管路１４ａのガス流入口は、冷却プレート１３の上下方向中央部と上下方向下部との間であって冷却プレート１３に穿孔された貫通孔３０に対向して配置されている。流入管路１４ａから流入した窒素ガスは、加熱手段１２によって加熱された第１還元反応炉１１ａの還元スペース１８（中間冷却スペース２２）を所定の温度に冷却する。
【００４８】
第１接続管路１４ｂは、第１還元反応炉１１ａと第２還元反応炉１１ｂとに連結されている。第１接続管路１４ｂは、第１及び第２還元反応炉１１ａ，１１ｂのハッチ２０の接続管路連結孔に気密に連結され、その一部が第１及び第２還元反応炉１１ａ，１１ｂの内部に進入している。第１接続管路１４ｂは、窒素ガス（Ｎ２）（冷却ガス）及び水素ガス（Ｈ２）を還元反応炉１１ａから還元反応炉１１ｂの内部に流入させる。
【００４９】
第１接続管路１４ｂは、そのガス流出口が第１還元反応炉１１ａの上部スペース２３に位置し、そのガス流入口が第２還元反応炉１１ｂの中間冷却スペース２２に位置している。流入管路１４ｂのガス流入口は、冷却プレート１３の上下方向中央部と上下方向下部との間であって冷却プレート１３に穿孔された貫通孔３０に対向して配置されている。流入管路１４ｂから流入した窒素ガスは、加熱手段１２によって加熱された第２還元反応炉１１ｂの還元スペース１８（中間冷却スペース２２）を所定の温度に冷却する。
【００５０】
第２接続管路１４ｃは、第２還元反応炉１１ｂと第３還元反応炉１１ｃとに連結されている。第２接続管路１４ｃは、第２及び第３還元反応炉１１ｂ，１１ｃのハッチ２０の接続管路連結孔に気密に連結され、その一部が第２及び第３還元反応炉１１ｂ，１１ｃの内部に進入している。第２接続管路１４ｃは、窒素ガス（Ｎ２）（冷却ガス）及び水素ガス（Ｈ２）を還元反応炉１１ｂから還元反応炉１１ｃの内部に流入させる。
【００５１】
第２接続管路１４ｃは、そのガス流出口が第２還元反応炉１１ｂの上部スペース２３に位置し、そのガス流入口が第３還元反応炉１１ｃの中間冷却スペース２２に位置している。流入管路１４ｃのガス流入口は、冷却プレート１３の上下方向中央部と上下方向下部との間であって冷却プレート１３に穿孔された貫通孔３０に対向して配置されている。流入管路１４ｃから流入した窒素ガスは、加熱手段１２によって加熱された第３還元反応炉１１ｃの還元スペース１８（中間冷却スペース２２）を所定の温度に冷却する。
【００５２】
流出管路１５は、第３還元反応炉１１ｃと窒素ガス（Ｎ２）（冷却ガス）及び水素ガス（Ｈ２）の混合ガスを貯蔵する混合ガス貯蔵タンク３５（ガスボンベ）とに連結されている。流出管路１５は、還元反応炉１１ｃのハッチ２０の流出管路連結孔に気密に連結され、その一部が還元反応炉１１ｃの内部に進入している。流出管路１５は、窒素ガス（Ｎ２）（冷却ガス）及び水素ガス（Ｈ２）の混合ガスを還元反応炉１１ｃの内部から外部に流出させる。流出管路１５は、そのガス流入口が還元反応炉１１ｃの上部スペース２３に位置している。
【００５３】
流入管路１４ａ（流入管路１４ａの還元反応炉１１ａの外側に延びる部分）には、ガス給気ポンプ３２と給気バルブ３３ａ（電磁バルブ）とが設置されている。ガス給気ポンプ３２と給気バルブ３３ａとの間に延びる流入管路１４ａには、ガス流量計３４ａ（圧力計）が設置されている。ガス給気ポンプ３２は、その制御部がインターフェイスを介してコントローラ２７に接続されている。ガス給気ポンプ３２は、窒素ガス貯蔵タンク３１に貯蔵された窒素ガスを第１還元反応炉１１ａに給気する。給気バルブ３３ａは、その制御部がインターフェイス（図示せず）を介してコントローラ２７に接続されている。給気バルブ３３ａは、流入管路１４ａの流路を開閉する。
【００５４】
給気バルブ３３ａ（電磁バルブ）の弁機構が開放されることで、窒素ガスが流入管路１４ａの流路を流動可能となり、給気バルブ３３ａの弁機構が閉鎖されることで、流入管路１４ａの流路における窒素ガスの流動が停止される。ガス流量計３４ａ（圧力計）は、インターフェイス（図示せず）を介してコントローラ２７に接続されている。ガス流量計３４ａは、流入管路１４ａを通流する窒素ガスの流量（流動圧力）を測定し、測定した流量をコントローラ２７に送信する。
【００５５】
第１接続管路１４ｂ（接続管路１４ｂの還元反応炉１１ａ，１１ｂの外側に延びる部分）には、排気バルブ３６ａ（電磁バルブ）と給気バルブ３３ｂ（電磁バルブ）とが設置されている。排気バルブ３６ａと給気バルブ３３ｂとの間に延びる接続管路１４ｂには、ガス流量計３４ｂ（圧力計）が設置されている。排気バルブ３６ａは、その制御部がインターフェイスを（図示せず）介してコントローラ２７に接続されている。排気バルブ３６ａは、接続管路１４ｂの流路を開閉する。給気バルブ３３ｂは、その制御部がインターフェイス（図示せず）を介してコントローラ２７に接続されている。給気バルブ３３ｂは、接続管路１４ｂの流路を開閉する。
【００５６】
排気バルブ３６ａ（電磁バルブ）及び給気バルブ３３ｂ（電磁バルブ）の弁機構が開放されることで、窒素ガス及び水素ガスの混合ガスが第１接続管路１４ｂの流路を流動可能となり、排気バルブ３６ａ及び給気バルブ３３ｂの弁機構が閉鎖されることで、接続管路１４ｂの流路における混合ガスの流動が停止される。ガス流量計３４ｂ（圧力計）は、インターフェイス（図示せず）を介してコントローラ２７に接続されている。ガス流量計３４ｂは、接続管路１４ｂを通流する混合ガスの流量（流動圧力）を測定し、測定した流量をコントローラ２７に送信する。
【００５７】
第２接続管路１４ｃ（接続管路１４ｃの還元反応炉１１ｂ，１１ｃの外側に延びる部分）には、排気バルブ３６ｂ（電磁バルブ）と給気バルブ３３ｃ（電磁バルブ）とが設置されている。排気バルブ３６ｂと給気バルブ３３ｃとの間に延びる接続管路１４ｃには、ガス流量計３４ｃ（圧力計）が設置されている。排気バルブ３６ｂは、その制御部がインターフェイスを（図示せず）介してコントローラ２７に接続されている。排気バルブ３６ｂは、接続管路１４ｃの流路を開閉する。給気バルブ３３ｃは、その制御部がインターフェイス（図示せず）を介してコントローラ２７に接続されている。給気バルブ３３ｃは、接続管路１４ｃの流路を開閉する。
【００５８】
排気バルブ３６ｂ（電磁バルブ）及び給気バルブ３３ｃ（電磁バルブ）の弁機構が開放されることで、窒素ガス及び水素ガスの混合ガスが第２接続管路１４ｃの流路を流動可能となり、排気バルブ３６ｂ及び給気バルブ３３ｃの弁機構が閉鎖されることで、接続管路１４ｃの流路における混合ガスの流動が停止される。ガス流量計３４ｃ（圧力計）は、インターフェイス（図示せず）を介してコントローラ２７に接続されている。ガス流量計３４ｃは、接続管路１４ｃを通流する混合ガスの流量（流動圧力）を測定し、測定した流量をコントローラ２７に送信する。
【００５９】
流出管路１５（流出管路１５の還元反応炉１１ｃの外側に延びる部分）には、排気バルブ３６ｃ（電磁バルブ）と真空ポンプ３７とが設置されている。排気バルブ３６ｃと真空ポンプ３７との間に延びる流出管路１５には、ガス流量計３４ｄ（圧力計）が設置されている。排気バルブ３６ｃは、その制御部がインターフェイス（図示せず）を介してコントローラ２７に接続されている。排気バルブ３６ｃは、流出管路１５の流路を開閉する。排気バルブ３６ｃ（電磁バルブ）の弁機構が開放されることで、窒素ガスと水素ガスとの混合ガスが流出管路１５の流路を流動可能となり、排気バルブ３６ｃの弁機構が閉鎖されることで、流入管路１５の流路における窒素ガスと水素ガスとの混合ガスの流動が停止される。
【００６０】
真空ポンプ３７は、その制御部がインターフェイス（図示せず）を介してコントローラ２７に接続されている。真空ポンプ３７は、システム１０の起動準備において第１〜第３還元反応炉１１ａ〜１１ｃの還元スペース１８（内部）の空気を外部に排気（真空引き）し、還元反応炉１１ａ〜１１ｃの還元スペース１８の内部気圧（還元反応炉１１ａ〜１１ｃの内部の気圧）を真空状態（−０．１２〜−０．０８ＭＰｓの範囲）にする。ガス流量計３４ｄ（圧力計）は、インターフェイス（図示せず）を介してコントローラ２７に接続されている。ガス流量計３４ｄは、流出管路１５を通流する窒素ガスと水素ガスとの混合ガスの流量（流動圧力）を測定し、測定した流量をコントローラ２７に送信する。
【００６１】
還元触媒２５には、ＳＵＳ３０４とＳＵＳ３１６Ｌとのうちの少なくとも一方であるオーステナイト系ステンレス鋼を微粉砕した粒径が１０〜５００μｍの粉状還元触媒（紛状メタル触媒）、ＳＵＳ３０４とＳＵＳ３１６Ｌとのうちの少なくとも一方であるオーステナイト系ステンレス鋼を粒状に成形した粒状還元触媒（粒状メタル触媒）、ＳＵＳ３０４とＳＵＳ３１６Ｌとのうちの少なくとも一方であるオーステナイト系ステンレス鋼を板状に成形した板状還元触媒（板状メタル触媒）、ＳＵＳ３０４とＳＵＳ３１６Ｌとのうちの少なくとも一方であるオーステナイト系ステンレス鋼を線状に成形した線状還元触媒（線状メタル触媒）のうちの少なくとも１つが使用される。
【００６２】
コントローラ２７（制御装置）は、中央処理部（ＣＰＵまたはＭＰＵ）とメモリ（メインメモリおよびキャッシュメモリ）とを有して独立したオペレーティングシステム（ＯＳ）によって動作する物理的なコンピュータであり、大容量記憶領域を実装している。コントローラ２７には、液晶画面であるタッチパネル（出力装置及び入力装置）（図示せず）が接続されている。コントローラ２７の大容量記憶領域には、第１〜第３還元反応炉１１ａ〜１１ｃの下部加熱スペース２１の設定加熱温度、第１〜第３還元反応炉１１ａ〜１１ｃの中間冷却スペース２２の設定温度、窒素ガス（冷却ガス）の第１〜第３還元反応炉１１ａ〜１１ｃの中間冷却スペース２２への設定流入量、真空ポンプ３７のシステム起動時出力、水素化ナトリウム製造機構１０の運転時間が記憶（格納）されている。
【００６３】
コントローラ２７は、加熱手段１２における加熱温度（加熱手段１２の出力）を制御し、ガス供給ポンプ３２における窒素ガスの第１〜第３還元反応炉１１ａ〜１１ｃへの給気量（ガス供給ポンプ３２の出力）を制御するとともに、真空ポンプ３７における真空度（真空ポンプ３７の出力）を制御する。コントローラ２７は、給気バルブ３３ａ〜３３ｃや排気バルブ３６ａ〜３６ｃの弁機構の開閉（電磁弁の発停）を制御し、運転時間経過後に水素化ナトリウム製造機構１０を停止させる。第１〜第３還元反応炉１１ａ〜１１ｃの下部加熱スペース２１の設定加熱温度や中間冷却スペース２２の設定温度、窒素ガス（冷却ガス）の第１〜第３還元反応炉１１ａ〜１１ｃの中間冷却スペース２２への設定流入量、真空ポンプ３７のシステム起動時出力、水素化ナトリウム製造機構１０の運転時間は、タッチパネルにおいて自由に設定・変更することができる。
【００６４】
コントローラ２７には、温泉バイナリー発電機構５０から電力線（図示せず）によって電力（電気）が供給されている。コントローラ２７は、温泉バイナリー発電機構５０から供給された電力（電気）を加熱手段１２や第１温度センサ２６、第２温度センサ２８、ガス給気ポンプ３２、給気バルブ３３ａ〜３３ｃ、ガス流量計３４ａ〜３４ｄ、排気バルブ３６ａ〜３６ｃ、真空ポンプ３７に分配（供給）する。コントローラ２７や加熱手段１２、第１温度センサ２６、第２温度センサ２８、ガス給気ポンプ３２、給気バルブ３３ａ〜３３ｃ、ガス流量計３４ａ〜３４ｄ、排気バルブ３６ａ〜３６ｃ、真空ポンプ３７は、温泉バイナリー発電機構５０から供給された電力（電気）によって作動する。
【００６５】
温泉バイナリー発電機構５０は、温泉源５１から既に噴出している高温熱水（温泉熱源）を利用する。温泉バイナリー発電機構５０において利用された熱交換後の熱水は浴用温泉５２に戻（還元）される。温泉バイナリー発電機構５０には、クーリングタワーや冷却水循環ポンプ等から形成された冷却機構５３が接続され、冷却機構５３から供給された冷却水によって媒体蒸気が液化される。
【００６６】
温泉バイナリー発電機構５０では、温泉源５１から給水された高温熱水（温泉熱源）が熱交換器（蒸発器）に流入し、熱交換器（蒸発器）によって高温熱水と作動媒体との間で熱交換が行われ、作動媒体が加熱されて媒体蒸気に変わる。媒体蒸気によってタービンが回転し、タービンに直結された発電機が発電する。タービンを回転させた媒体蒸気は、凝縮器に流入し、冷却機構５３から供給された冷却水によって液化される。液化された作動媒体は、循環ポンプによって再び熱交換器（蒸発器）に戻る。発電機が発電した電気は、系統連携コンバーターによって所定の電圧で商用電源に同期した周波数でコントローラ２７に給電される。
【００６７】
図６は、稼働中の水素化ナトリウム製造機構１０を示す図２と同様の図であり、図７は、水素化ナトリウム３８が冷却プレート１３に堆積固化した状態の第１〜第３還元反応炉１１ａ〜１１ｃの上面図である。図７では、ハッチ２０の図示を省略している。水素化ナトリウム製造機構１０（水素化ナトリウム製造システム）における水素化ナトリウム３８の製造手順の一例は、以下のとおりである。
【００６８】
ハッチ２０（開閉蓋）を開けて第１〜第３還元反応炉１１ａ〜１１ｃの頂部開口１９を開放し、還元反応炉１１ａ〜１１ｃの内部（還元スペース１８）に水酸化ナトリウム（ＮａＯＨ）と水酸化カリウム（ＫＯＨ）とのうちの少なくとも一方（アルカリ金属の水酸化物２４）を収容するとともに、還元反応炉１１ａ〜１１ｃの内部に還元触媒２５（粉状オーステナイト系ステンレス鋼触媒（紛状メタル触媒）、粒状オーステナイト系ステンレス鋼触媒（粒状メタル触媒）、板状オーステナイト系ステンレス鋼触媒（板状メタル触媒）、線状オーステナイト系ステンレス鋼触媒（線状メタル触媒）のうちの少なくとも１つ）を収容する。なお、第１〜第３還元反応炉１１ａ〜１１ｃの内部には、水酸化ナトリウム２４と粉状オーステナイト系ステンレス鋼触媒２５（紛状メタル触媒）とが収容されたものとする。水酸化ナトリウム２４及び粉状オーステナイト系ステンレス鋼触媒２５は、還元反応炉１１ａ〜１１ｃの下部加熱スペース２１（底壁１６）に載置される。
【００６９】
水酸化ナトリウム２４と粉状オーステナイト系ステンレス鋼触媒２５（還元触媒）とを第１〜第３還元反応炉１１ａ〜１１ｃの下部加熱スペース２１に収容した後、ハッチ２０を閉めて還元反応炉１１ａ〜１１ｃの内部（還元スペース１８）を気密に閉鎖し、水酸化ナトリウム２４と粉状オーステナイト系ステンレス鋼触媒２５（還元触媒２５）とを還元反応炉１１ａ〜１１ｃの内部に封じ込める。ハッチ２０を閉めて第１〜第３還元反応炉１１ａ〜１１ｃを気密に閉鎖した後、コントローラ２７のスイッチをＯＮにする。コントローラ２７のスイッチをＯＮにすると、準備画面がタッチパネルに表示（出力）される。
【００７０】
準備画面には、製造準備ボタン及びＯＦＦボタンが表示される。ＯＦＦボタンをタップ（クリック）すると、コントローラ２７がＯＦＦになる（以下のＯＦＦボタンも同様）。準備画面の製造準備ボタンをタップ（クリック）すると、タッチパネルには、設定値確認画面が表示（出力）される。設定値確認画面には、第１〜第３還元反応炉１１ａ〜１１ｃの下部加熱スペース２１の設定加熱温度（４５０〜６００℃の範囲）を表示した設定加熱温度表示エリア、還元反応炉１１ａ〜１１ｃの中間冷却スペース２２の設定温度（２００〜２５０℃の範囲）を表示した設定温度表示エリア、窒素ガス（冷却ガス）の還元反応炉１１ａ〜１１ｃの中間冷却スペース２２への設定流入量（１０〜５００ｃｃ／ｍｉｎの範囲）を表示した設定流入量表示エリア、真空ポンプ３７のシステム起動時出力を表示した真空ポンプ設定出力表示エリア、水素化ナトリウム製造機構１０の運転時間を表示した運転時間表示エリア、確認ボタン、設定ボタン、キャンセルボタンが表示される。キャンセルボタンが表示される。キャンセルボタンをタップ（クリック）すると、準備画面に戻る（以下のキャンセルボタンも同様）。
【００７１】
なお、各設定値を設定していない場合は、各表示エリアがブランクになる。各表示エリアに表示された設定値を変更または各表示エリアに新規に設定値を入力するには、設定値確認画面の設定ボタンをタップ（クリック）する。設定ボタンをタップすると、タッチパネルには、設定値入力画面が表示（出力）される。設定値入力画面には、第１〜第３還元反応炉１１ａ〜１１ｃの下部加熱スペース２１の設定加熱温度を入力する設定加熱温度入力エリア、還元反応炉１１ａ〜１１ｃの中間冷却スペース２２の設定温度を入力する設定温度入力エリア、窒素ガス（冷却ガス）の還元反応炉１１ａ〜１１ｃの中間冷却スペース２２への設定流入量を入力する設定流入量入力エリア、真空ポンプ３７のシステム起動時出力を入力する真空ポンプ設定出力入力エリア、水素化ナトリウム製造機構１０の運転時間を入力する運転時間入力エリア、設定登録ボタン、戻るボタン、キャンセルボタンが表示される。戻るボタンをタップ（クリック）すると、１つ前の画面に戻る（以下の戻るボタンも同様）。
【００７２】
各入力エリアには、既に入力されている設定値が表示される。各入力エリアの設定値を変更又は新規入力するには、各入力エリアに表示された設定値を変更入力又は新規入力した後、設定登録ボタンをタップする。設定登録ボタンをタップすると、コントローラ２７は、大容量記憶領域に記憶した設定値を各入力エリアに入力された設定値に更新又は登録した後、タッチパネルに設定値確認画面を表示（出力）する。
【００７３】
設定値を変更又は新規入力した後、又は、設定値に変更がない場合、設定値確認画面の確認ボタンをタップ（クリック）する。確認ボタンをタップすると、コントローラ２７は、給気バルブ３３ｂ，３３ｃの制御部と排気バルブ３６ａ〜３６ｃの制御部とに開放信号（ＯＮ信号）を送信するとともに、真空ポンプ３７の制御部に起動信号（設定出力を含む。）を送信する。開放信号を受信した給気バルブ３３ｂ，３３ｃの制御部と排気バルブ３６ａ〜３６ｃの制御部とは、開放信号にしたがって給気バルブ３３ｂ，３３ｃの弁機構を開放し、排気バルブ３６ａ〜３６ｃの弁機構を開放する。起動信号を受信した真空ポンプ３７の制御部は、起動信号にしたがって設定出力で真空ポンプ３７を起動する。
【００７４】
給気バルブ３３ｂ，３３ｃの弁機構と排気バルブ３６ａ〜３６ｃの弁機構が開放されることで、第１〜第２接続管路１４ｂ，１４ｃ及び流出管路１５の流路が開放される。起動した真空ポンプ３７は設定出力で運転され、第１〜第３還元反応炉１１ａ〜１１ｃの内部（還元スペース１８）から空気を吸引し、還元反応炉１１ａ〜１１ｃの内部を真空引きする。コントローラ２７は、所定時間真空ポンプ３７を起動させて第１〜第３還元反応炉１１ａ〜１１ｃの内部の気圧（還元スペース１８の気圧）が−０．１２〜−０．０８ＭＰｓの真空状態になった後、真空ポンプ３７の制御部に停止信号（ＯＦＦ信号）を送信する。停止信号を受信した真空ポンプ３７の制御部は、停止信号にしたがって真空ポンプ３７を停止させる。水素化ナトリウム製造機構１０の起動時には、第１〜第３還元反応炉１１ａ〜１１ｃの内部（還元スペース１８）が−０．１２〜−０．０８ＭＰｓの真空に保持される。
【００７５】
真空ポンプ３７が停止した後、コントローラ２７は、運転画面をタッチパネルに表示（出力）する。運転画面には、製造開始ボタン、製造停止ボタンが表示される。製造停止ボタンをタップ（クリック）すると、コントローラ２７は、給気バルブ３３ａの弁機構を開放するとともに、ガス給気ポンプ３２を起動させ、外気給気口（図示せず）から外気を取り入れてその外気を流入管路１４ａ及び第１〜第２接続管路１４ｂ，１４ｃから還元反応炉１１ａ〜１１ｃの内部（還元スペース１８）に給気し、還元反応炉１１ａ〜１１ｃの内部を大気圧に戻し、ハッチ開放ＯＫメッセージ及びＯＦＦボタンをタッチパネルに表示（出力）する。
【００７６】
運転画面において製造開始ボタンをタップ（クリック）すると、コントローラ２７は、加熱手段１２（マントルヒーター又はジャケットヒーター）の制御部に加熱開始信号（ＯＮ信号）を送信し、給気バルブ３３ａの制御部に開放信号（ＯＮ信号）を送信するとともに、ガス給気ポンプ３２の制御部に起動信号（設定出力を含む。）を送信する。更に、第１及び第２温度センサ２６，２８にセンシング開始信号（ＯＮ信号）を送信し、それらガス流量計３４ａ〜３４ｄにセンシング開始信号（ＯＮ信号）を送信する。
【００７７】
加熱開始信号を受信した加熱手段１２の制御部は、加熱開始信号にしたがって加熱手段１２を起動する。開放信号を受信した給気バルブ３３ａの制御部は、開放信号にしたがって給気バルブ３３ａの弁機構を開放する。起動信号を受信したガス給気ポンプ３２の制御部は、起動信号にしたがって設定出力でガス給気ポンプ３２を起動する。センシング開始信号を受信した第１温度センサ２６は、センシング開始信号にしたがって第１〜第３還元反応炉１１ａ〜１１ｃの中間冷却スペース２２の温度測定を開始するとともに、測定した中間冷却スペース２２の測定温度をコントローラ２７に送信する。センシング開始信号を受信した第２温度センサ２８は、センシング開始信号にしたがって第１〜第３還元反応炉１１ａ〜１１ｃの下部加熱スペース２１の温度測定を開始するとともに、測定した下部加熱スペース２１の測定温度をコントローラ２７に送信する。
【００７８】
センシング開始信号を受信したガス流量計３４ａは、センシング開始信号にしたがって流入管路１４ａを通流する窒素ガスの流量（流動圧力）測定を開始し、測定した測定流量をコントローラ２７に送信する。センシング開始信号を受信したガス流量計３４ｂ〜３４ｄは、センシング開始信号にしたがって第１〜第２接続管路１４ｂ，１４ｃや流出管路１５を通流する窒素ガスと水素ガスとの混合ガスの流量（流動圧力）測定を開始し、測定した測定流量をコントローラ２７に送信する。
【００７９】
第１〜第３還元反応炉１１ａ〜１１ｃの下部加熱スペース２１が加熱手段１２によって加熱され、下部加熱スペース２１が４５０〜６００℃の温度範囲に加熱される。下部加熱スペース２１の測定温度が第２温度センサ２８からコントローラ２８に送信される。コントローラ２７は、第２温度センサ２８から受信した下部加熱スペース２１の測定温度と設定加熱温度とを比較し、下部加熱スペース２１の温度が設定加熱温度（４５０〜６００℃の範囲）に保持されるように、加熱手段１２の出力をフィードバック制御する（例えば、加熱手段１２の出力を増減して第１〜第３還元反応炉１１ａ〜１１ｃの下部加熱スペース２１の加熱温度を調節する）。
【００８０】
第１〜第３還元反応炉１１ａ〜１１ｃの下部加熱スペース２１が設定加熱温度（４５０〜６００℃）に加熱されると、下部加熱スペース２１に収容された水酸化ナトリウム２４（固体）が溶融し、水酸化ナトリウム２４が気化して水酸化ナトリウム２４の分解ベーパー（アルカリ金属の水酸化物２４の分解ベーパー）（水酸化ナトリウム２４の蒸気）が発生する。水酸化ナトリウム２４（溶融塩）の分解ベーパーは、図６に矢印Ｌ１で示すように、還元反応炉１１ａ〜１１ｃの下部加熱スペース２１から中間冷却スペース２２に向かって上昇する。更に、第１〜第３還元反応炉１１ａ〜１１ｃ（還元スペース１８）の内部気圧が上昇し、還元反応炉１１ａ〜１１ｃ（還元スペース１８）の内部気圧がプラスになる。
【００８１】
水素化ナトリウム製造機構１０（水素化ナトリウム製造システム）は、第１〜第３還元反応炉１１ａ〜１１ｃの下部加熱スペース２１の温度を４５０〜６００℃の範囲にすることで、下部加熱スペース２１において水酸化ナトリウム２４（アルカリ金属の水酸化物２４）を溶融させて水酸化ナトリウム２４の分解ベーパー（アルカリ金属の水酸化物２４の分解ベーパー）を確実に作ることができるとともに、粉状オーステナイト系ステンレス鋼触媒２５（還元触媒２５）の触媒活性（触媒作用）を向上させることができる。
【００８２】
給気バルブ３３ａ〜３３ｃの弁機構が開放され、ガス給気ポンプ３２が起動すると、図６に矢印Ｌ２で示すように、窒素ガス貯蔵タンク３１から窒素ガス（冷却ガス）が流入管路１４ａに流入し、流入管路１４ａのガス供給口から第１還元反応炉１１ａの中間冷却スペース２２に窒素ガスが供給（給気）される。窒素ガス（冷却ガス）の中間冷却スペース２２への流入量は、１０〜５００ｃｃ／ｍｉｎの範囲にある。中間冷却スペース２２に供給（給気）された窒素ガスは、それら冷却プレート１３の貫通孔３０を通って中間冷却スペース２２に満遍なく分散する。還元反応炉１１ａの上部スペース２３及び中間冷却スペース２２は、窒素ガスによって２００〜２５０℃の範囲に冷却される。
【００８３】
第１還元反応炉１１ａの還元スペース１８では、流入管路１４ａから供給された窒素ガス（冷却ガス）の雰囲気において、下部加熱スペース２１から中間冷却スペース２２へ上昇した水酸化ナトリウム２４の分解ベーパー（アルカリ金属の水酸化物２４の分解ベーパー）が窒素ガス及び各冷却プレート１３（冷却手段）によって冷却されつつ、粉状オーステナイト系ステンレス鋼触媒２５（還元触媒２５）の触媒作用（冷却プレート１３を形成するＳＵＳ３０４やＳＵＳ３１６Ｌのオーステナイト系ステンレス鋼の触媒作用、還元反応炉１１ａ及びハッチ２０を形成するオーステナイト系ステンレス鋼の触媒作用を含む。）によって水酸化ナトリウム２４の分解ベーパーが水素化ナトリウム３８（ＮａＨ）に還元されるとともに、所定量の水素ガスが生成される。還元された水素化ナトリウム３８は、図７に示すように、第１還元反応炉１１ａに収容されたそれら冷却プレート１３（冷却手段）に付着して堆積固化する。
【００８４】
窒素ガス（冷却ガス）と還元反応炉１１ａにおいて生成された水素ガスとの混合ガスは、図６に矢印Ｌ２で示すように、第１接続管路１４ｂのガス流出口から接続管路１４ｂに流入し、接続管路１４ｂのガス流入口から第２還元反応炉１１ｂの中間冷却スペース２２に供給（給気）される。窒素ガス（冷却ガス）の中間冷却スペース２２への流入量は、１０〜５００ｃｃ／ｍｉｎの範囲にある。中間冷却スペース２２に供給（給気）された窒素ガスは、それら冷却プレート１３の貫通孔３０を通って中間冷却スペース２２に満遍なく分散する。還元反応炉１１ｂの上部スペース２３及び中間冷却スペース２２は、窒素ガスによって２００〜２５０℃の範囲に冷却される。
【００８５】
第２還元反応炉１１ｂの還元スペース１８では、第１接続管路１４ｂから供給された窒素ガス（混合ガス）の雰囲気において、下部加熱スペース２１から中間冷却スペース２２へ上昇した水酸化ナトリウム２４の分解ベーパー（アルカリ金属の水酸化物２４の分解ベーパー）が窒素ガス及び各冷却プレート１３（冷却手段）によって冷却されつつ、粉状オーステナイト系ステンレス鋼触媒２５（還元触媒２５）の触媒作用（冷却プレート１３を形成するＳＵＳ３０４やＳＵＳ３１６Ｌのオーステナイト系ステンレス鋼の触媒作用、還元反応炉１１ｂ及びハッチ２０を形成するオーステナイト系ステンレス鋼の触媒作用を含む。）によって水酸化ナトリウム２４の分解ベーパーが水素化ナトリウム３８（ＮａＨ）に還元されるとともに、所定量の水素ガスが生成される。還元された水素化ナトリウム３８は、第２還元反応炉１１ｂに収容されたそれら冷却プレート１３（冷却手段）に付着して堆積固化する。
【００８６】
窒素ガス（冷却ガス）と還元反応炉１１ａ，１１ｂにおいて生成された水素ガスとの混合ガスは、図６に矢印Ｌ２で示すように、第２接続管路１４ｃのガス流出口から接続管路１４ｃに流入し、接続管路１４ｃのガス流入口から第３還元反応炉１１ｃの中間冷却スペース２２に供給（給気）される。窒素ガス（冷却ガス）の中間冷却スペース２２への流入量は、１０〜５００ｃｃ／ｍｉｎの範囲にある。中間冷却スペース２２に供給（給気）された窒素ガスは、それら冷却プレート１３の貫通孔３０を通って中間冷却スペース２２に満遍なく分散する。還元反応炉１１ｃの上部スペース２３及び中間冷却スペース２２は、窒素ガスによって２００〜２５０℃の範囲に冷却される。
【００８７】
第３還元反応炉１１ｃの還元スペース１８では、第２接続管路１４ｃから供給された窒素ガス（混合ガス）の雰囲気において、下部加熱スペース２１から中間冷却スペース２２へ上昇した水酸化ナトリウム２４の分解ベーパー（アルカリ金属の水酸化物２４の分解ベーパー）が窒素ガス及び各冷却プレート１３（冷却手段）によって冷却されつつ、粉状オーステナイト系ステンレス鋼触媒２５（還元触媒２５）の触媒作用（冷却プレート１３を形成するＳＵＳ３０４やＳＵＳ３１６Ｌのオーステナイト系ステンレス鋼の触媒作用、還元反応炉１１ｃ及びハッチ２０を形成するオーステナイト系ステンレス鋼の触媒作用を含む。）によって水酸化ナトリウム２４の分解ベーパーが水素化ナトリウム３８（ＮａＨ）に還元されるとともに、所定量の水素ガスが生成される。還元された水素化ナトリウム３８は、第３還元反応炉１１ｃに収容されたそれら冷却プレート１３（冷却手段）に付着して堆積固化する。
【００８８】
窒素ガス（冷却ガス）と第１〜第３還元反応炉１１ａ〜１１ｃにおいて生成された水素ガス（Ｈ２）との混合ガスは、流出管路１５のガス流入口から流出管路１５に流入する。流出管路１５に流入した窒素ガスと水素ガスとの混合ガスは、図６に矢印Ｌ３で示すように、流出管路１５を通って混合ガス貯蔵タンク３５に流入し、混合ガス貯蔵タンク３５に貯蔵される。
【００８９】
水素化ナトリウム製造機構１０（水素化ナトリウム製造システム）は、複数の貫通孔３０が冷却プレート１３に穿孔され、それら貫通孔３０が冷却プレート１３の上下方向へ並ぶとともに、流入管路１４やのガス流入口が冷却プレート１３の上下方向中央部と上下方向下部との間であって冷却プレート１３に穿孔された貫通孔３０に対向して配置されているから、流入管路１４ａ及び第１〜第２接続管路１４ｂ，１４ｃのガス流入口から供給された窒素ガス（冷却ガス）が冷却プレート１３の貫通孔３０を通って中間冷却スペース２２に満遍なく分散し、窒素ガスによって第１〜第３還元反応炉１１ａ〜１１ｃの中間冷却スペース２２（冷却プレート１３）を確実に冷却することができる。
【００９０】
流入管路１４ａを通流する窒素ガスの測定流量（測定流動圧力）がガス流量計３４ａからコントローラ２７に送信されるとともに、第１〜第２接続管路１４ｂ，１４ｃ及び流出管路１５を通流する窒素ガスと水素ガスとの混合ガスの測定流量（測定流動圧力）がガス流量計３４ｂ〜３４ｄからコントローラ２７に送信される。コントローラ２７は、それらガス流量計３４ａ〜３４ｄから受信した測定流量と設定流入量とを比較し、窒素ガスまたは混合ガスの中間冷却スペース２２への流入量が設定流入量（１０〜５００ｃｃ／ｍｉｎの範囲）に保持されるように、ガス給気ポンプ３２の出力をフィードバック制御する（例えば、ガス給気ポンプ３２の出力を増減して窒素ガスまたは混合ガスの中間冷却スペース２２への流入量を調節する。）。
【００９１】
第１〜第３還元反応炉１１ａ〜１１ｃの中間冷却スペース２２の測定温度が第１温度センサ２６からコントローラ２７に送信される。コントローラ２７は、第１温度センサ２６から受信した中間冷却スペース２２の測定温度と設定温度とを比較し、中間冷却スペース２２の温度が設定温度（２００〜２５０℃の範囲）に保持されるように、ガス給気ポンプ３２の出力をフィードバック制御する（例えば、ガス給気ポンプ３２の出力を増減して窒素ガスの中間冷却スペース２２への流入量を調節する。又は、ガス給気ポンプ３２を所定の時間間隔で運転し、窒素ガスの中間冷却スペース２２への流入量を調節する。）。
【００９２】
水素化ナトリウム製造機構１０（水素化ナトリウム製造システム）は、第１〜第３還元反応炉１１ａ〜１１ｃの中間冷却スペース２２の温度を２００〜２５０℃の範囲にすることで、水酸化ナトリウム２４（アルカリ金属の水酸化物２４）から還元された水素化ナトリウム３８をそれら冷却プレート１３（冷却手段）に確実に堆積固化させることができるとともに、窒素ガス（冷却ガス）の第１〜第３還元反応炉１１ａ〜１１ｃへの流入量を１０〜５００ｃｃ／ｍｉｎの範囲にすることで、流入管路１４ａ及び第１〜第２接続管路１４ｂ，１４ｃから供給された窒素ガスによって中間冷却スペース２２（冷却プレート１３）を所定温度に確実に冷却することができる。
【００９３】
水素化ナトリウム製造機構１０の１回の運転時間は、１２〜２４時間である。コントローラ２７は、システム１０の運転時間が経過すると、加熱手段１２の制御部に加熱停止信号（ＯＦＦ信号）を送信し、給気バルブ３３ａ〜３３ｃの制御部に閉鎖信号（ＯＦＦ信号）を送信するとともに、ガス給気ポンプ３２の制御部に停止信号（ＯＦＦ信号）を送信する。更に、排気バルブ３６ａ〜３６ｃの制御部に閉鎖信号（ＯＦＦ信号）を送信し、第１及び第２温度センサ２６，２８にセンシング停止信号（ＯＦＦ信号）を送信するとともに、ガス流量計３４ａ〜３４ｄにセンシング停止信号（ＯＦＦ信号）を送信する。
【００９４】
加熱停止信号を受信した加熱手段１２の制御部は、加熱停止信号にしたがって加熱手段１２を停止させる。閉鎖信号を受信した給気バルブ３３ａ〜３３ｃの制御部は、閉鎖信号にしたがって給気バルブ３３ａ〜３３ｃの弁機構を閉鎖する。停止信号を受信したガス給気ポンプ３２の制御部は、停止信号にしたがってガス給気ポンプ３２を停止させる。閉鎖信号を受信した排気バルブ３６ａ〜３６ｃの制御部は、閉鎖信号にしたがって排気バルブ３６ａ〜３６ｃの弁機構を閉鎖する。センシング停止信号を受信した第１及び第２温度センサ２６，２８は、センシング停止信号にしたがって温度測定を停止する。センシング停止信号を受信したそれらガス流量計３４ａ〜３４ｄは、センシング停止信号にしたがって流量測定を停止する。
【００９５】
加熱手段１２や給気バルブ３３ａ〜３３ｃ、ガス給気ポンプ３２、排気バルブ３６ａ〜３６ｃ、第１及び第２温度センサ２６，２８、ガス流量計３４ａ〜３４ｃにＯＦＦ信号を送信した後、コントローラ２７は、水素化ナトリウム製造完了メッセージと製造確認ボタン（製造終了ボタン）とをタッチパネルに表示（出力）する。製造確認ボタンをタップ（クリック）すると、コントローラ２７がＯＦＦになる。製造確認ボタンをタップした後、ハッチ２０を開けて第１〜第３還元反応炉１１ａ〜１１ｃの頂部開口１９を開放し、水素化ナトリウム３８が体積固化した冷却プレート１３を還元反応炉１１ａ〜１１ｃの内部から取り出す。水素化ナトリウム３８が体積固化した冷却プレート１３を水素発生容器（図示せず）に収容し、必要に応じて水素発生容器に水を注入し、水素ガスを発生させる。
【００９６】
水素化ナトリウム製造システムは、所定量の水酸化ナトリウム２４（ＮａＯＨ）（アルカリ金属の水酸化物２４）とＳＵＳ３０４とＳＵＳ３１６Ｌとのうちの少なくとも一方であるオーステナイト系ステンレス鋼から作られた粉状オーステナイト系ステンレス鋼触媒２５（還元触媒２５）とを第１〜第３還元反応炉１１ａ〜１１ｃ（第１〜第ｎ還元炉）の下部加熱スペース２１に収容し、流入管路１４ａ及び第１及び第２接続管路１４ｂ，１４ｃ（第１〜第ｎ接続管路）から供給された窒素ガス（冷却ガス）の雰囲気において、下部加熱スペース２１を加熱手段１２によって所定温度（４５０〜６００℃）に加熱し、下部加熱スペース２１から中間冷却スペース２２へ上昇した水酸化ナトリウム２４の分解ベーパー（アルカリ金属の水酸化物２４の分解ベーパー）が窒素ガス及びそれら冷却プレート１３（冷却手段）によって冷却されつつ粉状オーステナイト系ステンレス鋼触媒２５（還元触媒２５）によって水素化ナトリウム３８（ＮａＨ）に還元され、その水素化ナトリウム３８をそれら冷却プレート１３に付着させて堆積固化させることで水素化ナトリウム３８を生成するから、所定の粉状オーステナイト系ステンレス鋼触媒２５（還元触媒２５）を利用するだけで水素化ナトリウム３８を固体の状態で生成することができ、多量の水素化ナトリウム３８を短時間に効率よく製造することができる。
【００９７】
水素化ナトリウム製造システムは、第１〜第３還元反応炉１１ａ〜１１ｃ（第１〜第ｎ還元炉）の還元スペース１８において水素ガス（Ｈ２）が生成されるから、水素化ナトリウム３８の生成と同時に、水酸化ナトリウム２４（アルカリ金属の水酸化物２４）から水素を作ることができる。水素化ナトリウム製造システム１０は、直列に並ぶ複数の第１〜第３還元反応炉１１ａ〜１１ｃ（第１〜第ｎ還元炉）を利用し、それら還元反応炉１１ａ〜１１ｃにおいて水素化ナトリウムを生成することで、一度の多量の水素化ナトリウムを生成することができる。
【００９８】
水素化ナトリウム製造システムは、オーステナイト系ステンレス鋼を微粉砕した粒径が１０〜５００μｍの粉状還元触媒、オーステナイト系ステンレス鋼を粒状に成形した粒状還元触媒、オーステナイト系ステンレス鋼を板状に成形した板状還元触媒、オーステナイト系ステンレス鋼を線状に成形した線状還元触媒のうちの少なくとも１つの還元触媒２５を利用することで、オーステナイト系ステンレス鋼から作られた粉状還元触媒や粒状還元触媒、板状還元触媒、線状還元触媒の優れた触媒活性（触媒作用）を利用することができ、それら還元触媒２５の触媒作用によって水酸化ナトリウム２４（アルカリ金属の水酸化物２４）の分解ベーパーを水素化ナトリウム３８（ＮａＨ）に確実に還元することができる。
【００９９】
水素化ナトリウム製造システムは、温泉源５１から噴出する温泉熱源を利用したバイナリー発電機構５０から水素化ナトリウム製造機構１０に電力（電気）を供給し、水素化ナトリウム製造機構１０における水素化ナトリウム２４の製造おいてその電力が使用されるから、水素化ナトリウム製造機構１０において使用する電力を電気会社から買い取る必要はなく、温泉の熱エネルギー（自然エネルギー）を利用することで電気代を必要とせずに水素化ナトリウム２４を製造することができ、水素化ナトリウム２４を低コストで製造することができる。水素化ナトリウム製造システムは、既に噴出している温泉熱源を利用するから、開発リスクがなく、その探査や掘削コストがかからずに水素化ナトリウム２４を製造することができるとともに、熱交換後の温水を浴用温泉５２に還元することで、温泉枯渇のリスクを少なくすることができる。
【０１００】
図８は、他の一例として示す第１〜第３還元反応炉１１ａ〜１１ｃの上面図である。図８では、ハッチ２０の図示を省略している。第１〜第３還元反応炉１１ａ〜１１ｃ及び流入管路１４ａが図２のそれと異なるところは、流入管路１４ａが複数本の分岐管路３９ａ〜３９ｈに分岐し、それら分岐管路３９ａ〜３９ｈが還元反応炉１１ａ〜１１ｃのハッチ２０に気密に設置され、それら分岐管路３９ａ〜３９ｈの各ガス供給口が還元反応炉１１ａ〜１１ｃの中間冷却スペース２２の周り方向へ並ぶ各冷却プレート１３の間に位置している点にあり、水素化ナトリウム製造機構１０の構成を含むその他の構成は図２の還元反応炉１１ａ〜１１ｃや流入管路１４ａと同一であるから、図２の説明を援用するとともに、図２と同一の符号を付すことで水素化ナトリウム製造機構１０の構成を含むその他の構成の詳細な説明は省略する。
【０１０１】
水素化ナトリウム製造機構１０は、第１〜第３還元反応炉１１ａ〜１１ｃ（第１〜第ｎ還元炉）と、還元反応炉１１ａ〜１１ｃを部分的に加熱する加熱手段１２と、所定面積の複数枚の冷却プレート１３（冷却手段）と、流入管路１４ａ及び第１〜第２接続管路１４ｂ，１４ｃ（第１〜第ｎ接続管路）と、流出管路１５とを備えている。加熱手段１２や冷却プレート１３（冷却手段）、流出管路１５は、図１のそれらと同一である。還元反応炉１１ａ〜１１ｃに設置されたハッチ２０には、分岐管路３９ａ〜３９ｈを気密に連結する流入管路連結孔及び接続管連結孔が形成されている。
【０１０２】
流入管路１４ａ及び第１〜第２接続管路１４ｂ，１４ｃは、給気バルブ３３ａ〜３３ｃ（電磁バルブ）の上流側において複数本の分岐管路３９ａ〜３９ｈに分岐している。それら分岐管路３９ａ〜３９ｈは、ハッチ２０の各流入管路連結孔及び各接続管連結孔に気密に連結され、その一部が第１〜第３還元反応炉１１ａ〜１１ｃの内部に進入している。それら分岐管路３９ａ〜３９ｈは、窒素ガス又は混合ガスを還元反応炉１１ａ〜１１ｃの内部に流入させる。それら分岐管路３９ａ〜３９ｈのガス流入口は、還元反応炉１１ａ〜１１ｃの中間冷却スペース２２に位置するとともに、還元反応炉１１ａ〜１１ｃの中間冷却スペース２２の周り方向へ並ぶ各冷却プレート１３の間に位置している。分岐管路３０ａ〜３９ｈのガス流入口は、冷却プレート１３の上下方向中央部と上下方向下部との間であって冷却プレート１１に穿孔された貫通孔３０に対向して配置されている。
【０１０３】
分岐管路３９ａ〜３９ｈを使用した水素化ナトリウム製造機構１０（水素化ナトリウム製造システム）では、給気バルブ３３ａ〜３３ｃ及び排気バルブ３６ａ〜３６ｃの弁機構が開放され、ガス給気ポンプ３２が起動すると、窒素ガス又は混合ガスが流入管路１４ａ及び第１〜第２接続管路１４ｂ，１４ｃに流入し、流入管路１４ａ及び第１〜第２接続管路１４ｂ，１４ｃの分岐管路３９ａ〜３９ｈの各ガス流入口から還元反応炉１１ａ〜１１ｃの中間冷却スペース２２に窒素ガス又は混合ガスが供給（給気）される。
【０１０４】
窒素ガス又は混合ガスの中間冷却スペース２２への流入量は、１０〜５００ｃｃ／ｍｉｎの範囲にある。分岐管路３９ａ〜３９ｈから還元反応炉１１ａ〜１１ｃの中間冷却スペース２２に供給（給気）された窒素ガス又は混合ガスは、周り方向へ隣接する各冷却プレート１３の間に供給されるとともに、それら冷却プレート１３の貫通孔３０を通って中間冷却スペース２２に満遍なく分散する。管路３９ａ〜３９ｈを使用した水素化ナトリウム製造機構１０における水素化ナトリウム３８のその他の製造手順は、図６において説明したそれと同一である。
【０１０５】
管路３９ａ〜３９ｈを使用した水素化ナトリウム製造システムは、既述の効果に加え、以下の効果を有する。水素化ナトリウム製造システムは、複数本の分岐管路３９ａ〜３９ｈの各ガス流入口から各冷却プレート１３の間に窒素ガス又は混合ガスを流入させることで、窒素ガス又は混合ガスがそれら冷却プレート１３の間に満遍なく流入し、それら分岐管路３９ａ〜３９ｈの各ガス流入口から流入した窒素ガス又は混合ガスによって第１〜第３還元反応炉１１ａ〜１１ｃの中間冷却スペース２２（それら冷却プレート１３）を確実に冷却することができ、それら冷却プレート１３に水素化ナトリウム３８を確実に堆積固化させることができる。
【０１０６】
図９は、流入管路１４ａ及び第１及び第２接続管路１４ｂ，１４ｃの他の一例を示す図である。流入管路１４ａ及び第１及び第２接続管路１４ｂ，１４ｃが図２のそれと異なるところは、上下方向へ並ぶ複数のガス流入口４０が流入管路１４ａ及び第１及び第２接続管路１４ｂ，１４ｃの冷却プレート１３に対向する対向部分に形成され、流入管路１４ａ及び第１及び第２接続管路１４ｂ，１４ｃのそれらガス流入口３９が冷却プレート１３に向かって開口している点にあり、水素化ナトリウム製造機構１０の構成を含むその他の構成は図２の流入管路１４と同一であるから、図２の説明を援用するとともに、図２と同一の符号を付すことで水素化ナトリウム製造機構１０の構成を含むその他の構成の詳細な説明は省略する。
【０１０７】
水素化ナトリウム製造機構１０は、第１〜第３還元反応炉１１ａ〜１１ｃ（第１〜第ｎ還元炉）と、還元反応炉１１ａ〜１１ｃを部分的に加熱する加熱手段１２と、所定面積の複数枚の冷却プレート１３（冷却手段）と、流入管路１４ａ及び第１〜第２接続管路１４ｂ，１４ｃ（第１〜第ｎ接続管路）と、流出管路１５とを備えている。加熱手段１２や冷却プレート１３（冷却手段）、流出管路１５は、図２のそれらと同一である。
【０１０８】
流入管路１４ａ及び第１〜第２接続管路１４ｂ，１４ｃは、ハッチ２０の流入管路連結孔及び接続管連結孔に気密に連結され、その一部が第１〜第３還元反応炉１１ａ〜１１ｃの内部に進入している。流入管路１４ａ及び第１〜第２接続管路１４ｂ，１４ｃは、窒素ガス又は混合ガスを還元反応炉１１ａ〜１１ｃの内部に流入させる。流入管路１４ａ及び第１〜第２接続管路１４ｂ，１４ｃの還元反応炉１１ａ〜１１ｃの内部に延びる部分（対向部分）には、上下方向へ並ぶ複数のガス流入口４０が形成されている。流入管路１４ａ及び第１〜第２接続管路１４ｂ，１４ｃのそれらガス流入口４０は、還元反応炉１１ａ〜１１ｃの中間冷却スペース２２に位置するとともに、冷却プレート１３に対向し、冷却プレート１３及び貫通孔３０に向かって開口している。
【０１０９】
複数のガス供給口４０を有する流入管路１４ａ及び第１〜第２接続管路１４ｂ，１４ｃを使用した水素化ナトリウム製造システム１０では、給気バルブ３３ａ〜３３ｃ及び排気バルブ３６ａ〜３６ｃの弁機構が開放され、ガス給気ポンプ３２が起動すると、窒素ガス又は混合ガスが流入管路１４ａ及び第１〜第２接続管路１４ｂ，１４ｃに流入し、流入管路１４ａ及び第１〜第２接続管路１４ｂ，１４ｃの各ガス流入口４０から還元反応炉１１ａ〜１１ｃの中間冷却スペース２２に窒素ガス又は混合ガスが供給（給気）される。
【０１１０】
窒素ガス又は混合ガスの中間冷却スペース２２への流入量は、１０〜５００ｃｃ／ｍｉｎの範囲にある。流入管路１４ａ及び第１〜第２接続管路１４ｂ，１４ｃから中間冷却スペース２２に供給（給気）された窒素ガス又は混合ガスは、周り方向へ隣接する各冷却プレート１３の間に供給されるとともに、それら冷却プレート１３の貫通孔３０を通って中間冷却スペース２２に満遍なく分散する。複数のガス供給口４０を有する流入管路１４ａ及び第１〜第２接続管路１４ｂ，１４ｃを使用した水素化ナトリウム製造システム１０における水素化ナトリウム３８のその他の製造手順は、図６において説明したそれと同一である。
【０１１１】
なお、上下方向へ並ぶ複数のガス供給口４０が図８に示す分岐管路３９ａ〜３９ｈの第１〜第３還元反応炉１１ａ〜１１ｃの内部に延びる部分（対向部分）に形成されていてもよい。この場合、それら分岐管路３９ａ〜３９ｈの各ガス流入口４０は、還元反応炉１１ａ〜１１ｃの中間冷却スペース２２に位置するとともに、還元反応炉１１ａ〜１１ｃの中間冷却スペース２２の周り方向へ並ぶ各冷却プレート１３の間に位置する。分岐管路３９ａ〜３９ｈの各ガス流入口４０は、冷却プレート１３の上下方向中央部と上下方向下部との間であって冷却プレート１１に穿孔された貫通孔３０に対向して配置される。
【０１１２】
複数のガス流入口４０を有する流入管路１４ａ及び第１〜第２接続管路１４ｂ，１４ｃを使用した水素化ナトリウム製造システムは、既述の効果に加え、以下の効果を有する。水素化ナトリウム製造システムは、上下方向へ並ぶ複数のガス流入口４０が流入管路１４ａ及び第１〜第２接続管路１４ｂ，１４ｃの冷却プレート１３に対向する対向部分に形成され、それらガス流入口４０を冷却プレート１３及び貫通孔３０に向かって開口させることで、流入管路１４ａ及び第１〜第２接続管路１４ｂ，１４ｃのそれらガス流入口４０から供給された窒素ガス又は混合ガスが冷却プレート１３に向かって供給されるとともに、窒素ガス又は混合ガスが冷却プレート１３の貫通孔３０を通って還元反応炉１１ａ〜１１ｃの中間冷却スペース２２に満遍なく分散し、窒素ガス又は混合ガスによって中間冷却スペース２２（冷却プレート１３）を確実に冷却することができ、冷却プレート１３に水素化ナトリウム３８を確実に堆積固化させることができる。
【符号の説明】
【０１１３】
１０    水素化ナトリウム製造機構
１１ａ  第１還元反応炉（第１還元炉）
１１ｂ  第２還元反応炉（第２還元炉）
１１ｃ  第３還元反応炉（第３還元炉）
１２    加熱手段
１３    冷却プレート（冷却手段）
１４ａ  流入管路
１４ｂ  第１接続管路
１４ｃ  第２接続管路
１５    流出管路
１６    底壁
１７    周壁
１８    還元スペース
１９    頂部開口
２０    ハッチ（開閉蓋）
２１    下部加熱スペース
２２    中間冷却スペース
２３    上部スペース
２４    水酸化ナトリウム（アルカリ金属の水酸化物）
２５    粉状オーステナイト系ステンレス鋼触媒（還元触媒）
２６    第１温度センサ
２７    コントローラ
２８    第２温度センサ
２９    中心軸
３０    貫通孔
３１    窒素ガス貯蔵タンク
３２    ガス給気ポンプ
３３ａ〜３３ｃ  給気バルブ
３４ａ〜３４ｄ  ガス流量計
３５    混合ガス貯蔵タンク
３６ａ〜３６ｃ  排気バルブ
３７    真空ポンプ
３８    水素化ナトリウム
３９ａ〜３９ｈ  分岐管路
４０    ガス流入口
５０    温泉バイナリー発電機構（バイナリー発電機構）
５１    温泉源
５２    浴用温泉
５３    冷却機構
【図１】
2020121909.tif 000003
【図２】
2020121909.tif 000004
【図３】
2020121909.tif 000005
【図４】
2020121909.tif 000006
【図５】
2020121909.tif 000007
【図６】
2020121909.tif 000008
【図７】
2020121909.tif 000009
【図８】
2020121909.tif 000010
【図９】
2020121909.tif 000011